(57)【特許請求の範囲】
【請求項１】
車両の空調装置の操作を指示するためのスライドバーが表示されたパネルと、
前記パネルに形成され、前記スライドバーへの接触を検知するタッチセンサと、
前記タッチセンサに接続され、前記接触に基づいて前記空調装置を操作する操作信号を出力する制御手段とを備えたタッチスイッチモジュールにおいて、
前記スライドバーは、一端に位置するステップアップ部と、他端に位置するステップダウン部と、前記ステップアップ部よりも前記他端側及び／又は前記ステップダウン部よりも前記一端側に所定長で延びる不感応部と、残余のスライド感応部とからなり、
前記制御手段は、前記ステップアップ部に対して短時間の前記接触である短接触が行われれば、前記短接触毎に前記空調装置から吹き出される風の温度を１段階ずつ上げるアップ信号を出力するアップ信号出力部と、前記ステップダウン部に対して前記短接触が行われれば、前記短接触毎に前記空調装置から吹き出される風の温度を１段階ずつ下げるダウン信号を出力するダウン信号出力部と、前記不感応部に対して前記接触が行われれば、前記操作信号の出力を禁止する出力禁止部と、前記スライド感応部に対し、前記接触が移動するスライドが行われれば、前記スライド毎に前記空調装置から吹き出される風の温度を変化させるスライド信号を出力するスライド信号出力部とを有していることを特徴とするタッチスイッチモジュール。
【請求項２】
前記一端は上端であり、
前記他端は下端であり、
前記不感応部は前記ステップアップ部よりも下方向に延び、
前記スライド感応部は前記ステップダウン部を含んでいる請求項１記載のタッチスイッチモジュール。
【請求項３】
前記一端は右端であり、
前記他端は左端であり、
前記不感応部は、前記ステップアップ部よりも左方向に延びる第１不感応部と、前記ステップダウン部よりも右方向に延びる第２不感応部とからなり、
前記スライド感応部は前記第１不感応部と前記第２不感応部との間である請求項１記載のタッチスイッチモジュール。
【発明の詳細な説明】
【技術分野】
【０００１】
本発明はタッチスイッチモジュールに関する。
【背景技術】
【０００２】
特許文献１に従来のタッチスイッチモジュールが開示されている。このタッチスイッチモジュールは、パネルとタッチセンサと制御手段とを備えている。パネルには、電気機器の操作を指示するためのスライドバーが表示されている。タッチセンサは、パネルに形成された静電容量センサである。タッチセンサは、使用者の指がスライドバーに接触した際に発生する電圧値から、その接触を検知する。制御手段は、タッチセンサに接続されている。制御手段は、その接触に基づいて電気機器を操作する操作信号を出力する。
【０００３】
スライドバーは、上端に位置するステップアップ部と、下端に位置するステップダウン部と、スライド感応部とを有している。スライド感応部は、ステップアップ部からステップダウン部まで延びている。
【０００４】
このタッチスイッチモジュールでは、使用者がステップダウン部からステップアップ部に向けて接触を移動、つまり上方にスライドさせれば、電気機器の稼働条件を上昇させる。使用者がステップアップ部からステップダウン部に向けて下方にスライドさせれば、電気機器の稼働条件を下降させる。また、使用者がステップアップ部に対して短時間の接触である短接触を行えば、短接触毎に電気機器の稼働条件を１段階ずつ上げる。他方、使用者がステップダウン部に短接触を行えば、短接触毎に電気機器の稼働条件を１段階ずつ下げる。
【先行技術文献】
【特許文献】
【０００５】
【特許文献１】特開２０１３−１３４５４６号公報
【発明の概要】
【発明が解決しようとする課題】
【０００６】
しかし、上記従来のタッチスイッチモジュールでは、スライド感応部がステップアップ部からステップダウン部まで延びているため、使用者が短接触を行った場合であっても、ステップアップ部及びステップダウン部以外のスライド感応部への接触として認識することがある。特に、ステップアップ部はスライドバーの上端に位置しているため、ステップアップ部への短接触を下方へのスライドとして認識することがある。この場合、使用者が意図しない稼働条件が電気機器に指示されることとなる。
【０００７】
本発明は、上記従来の実情に鑑みてなされたものであって、電気機器をより確実に操作可能なタッチスイッチモジュールを提供することを解決すべき課題としている。
【課題を解決するための手段】
【０００８】
本発明のタッチスイッチモジュールは、  車両の空調装置の操作を指示するためのスライドバーが表示されたパネルと、
前記パネルに形成され、前記スライドバーへの接触を検知するタッチセンサと、
前記タッチセンサに接続され、前記接触に基づいて前記空調装置を操作する操作信号を出力する制御手段とを備えたタッチスイッチモジュールにおいて、
前記スライドバーは、一端に位置するステップアップ部と、他端に位置するステップダウン部と、前記ステップアップ部よりも前記他端側及び／又は前記ステップダウン部よりも前記一端側に所定長で延びる不感応部と、残余のスライド感応部とからなり、
前記制御手段は、前記ステップアップ部に対して短時間の前記接触である短接触が行われれば、前記短接触毎に前記空調装置から吹き出される風の温度を１段階ずつ上げるアップ信号を出力するアップ信号出力部と、前記ステップダウン部に対して前記短接触が行われれば、前記短接触毎に前記空調装置から吹き出される風の温度を１段階ずつ下げるダウン信号を出力するダウン信号出力部と、前記不感応部に対して前記接触が行われれば、前記操作信号の出力を禁止する出力禁止部と、前記スライド感応部に対し、前記接触が移動するスライドが行われれば、前記スライド毎に前記空調装置から吹き出される風の温度を変化させるスライド信号を出力するスライド信号出力部とを有していることを特徴とする。
【０００９】
本発明のタッチスイッチモジュールでは、スライドバーがステップアップ部よりも他端側及び／又はステップダウン部よりも一端側に所定長で延びる不感応部を有し、残余のスライドバーがスライド感応部とされている。そして、制御手段の出力禁止部は、不感応部に対して接触が行われれば、操作信号の出力を禁止する。このため、使用者がステップアップ部及び／又はステップダウン部への短接触を行った場合、例えその際に不感応部への接触があったとしても、不感応部への接触によって操作信号が電気機器に出力されることはなく、ステップアップ部及び／又はステップダウン部への短接触による操作信号が電気機器に出力されるだけである。そして、使用者が不感応部を超えてスライド感応部に対してスライドを行えば、そのスライドによる操作信号が電気機器に出力される。
【００１０】
したがって、本発明のタッチスイッチモジュールでは、電気機器をより確実に操作可能である。
【００１１】
本発明において、不感応部は、ステップアップ部よりも他端側だけに存在してもよく、ステップダウン部よりも一端側だけに存在してもよく、これらの両位置に存在してもよい。また、スライド感応部は、スライドバーからステップアップ部とステップダウン部と不感応部とを除いた残余の部分である。
【００１２】
また、本発明において、スライドバーは、上端から下端まで延びてもよく、左端から右端まで延びてもよく、傾斜して延びてもよい。また、スライドバーは、直線状に延びてもよく、湾曲しながら延びてもよい。
【００１３】
本発明のタッチスイッチモジュールにおいて、電気機器としては、空調装置、オーディオ機器、ナビゲーションシステム、照明機器、携帯電話等、種々のものを採用することが可能である。特に、車両用の電気機器であることが好ましい。
【００１４】
タッチセンサとしては、静電容量方式のセンサの他、機械式のボタンであってもよいし、表面弾性波方式、赤外線方式、抵抗膜方式等のセンサであってもよい。また、本発明において、接触は、スライドバーに触れた場合に限られず、信号が生成可能に近接する場合も含む。
【００１５】
一端は上端であり得る。他端は下端であり得る。不感応部はステップアップ部よりも下方向に延び得る。スライド感応部はステップダウン部を含んでいることが好ましい。
【００１６】
この場合、使用者がステップアップ部への短接触を行った場合、例えその際に不感応部への接触があったとしても、不感応部への接触によって操作信号が電気機器に出力されることはなく、ステップアップ部への短接触による操作信号が電気機器に出力されるだけである。そして、使用者が不感応部を超えてスライド感応部に対して下方にスライドを行えば、その下方へのスライドによる操作信号が電気機器に出力される。
【００１７】
一端は右端であり得る。他端は左端であり得る。不感応部は、ステップアップ部よりも左方向に延びる第１不感応部と、ステップダウン部よりも右方向に延びる第２不感応部とからなり得る。スライド感応部は第１不感応部と第２不感応部との間であることが好ましい。
【００１８】
この場合、使用者がステップアップ部及びステップダウン部の少なくとも一方への短接触を行った場合、例えその際に不感応部への接触があったとしても、不感応部への接触によって操作信号が電気機器に出力されることはなく、ステップアップ部及びステップダウン部の少なくとも一方への短接触による操作信号が電気機器に出力されるだけである。そして、使用者が不感応部を超えてスライド感応部に対してスライドを行えば、そのスライドによる操作信号が電気機器に出力される。
【００１９】
スライド感応部に対し、接触が移動するスライドが行われれば、スライド毎に電気機器の稼働条件を変化させるスライド信号を出力するスライド信号出力部を有していることが好ましい。この場合、電気機器をより確実に操作可能になる。
【００２０】
電気機器は車両の空調装置であることが好ましい。この場合、走行中、使用者によって車室内の温度調節が好適に行われる。
【発明の効果】
【００２１】
本発明のタッチスイッチモジュールによれば、電気機器をより確実に操作可能である。
【図面の簡単な説明】
【００２２】
【図１】実施例１のタッチスイッチモジュールを用いたインスツルメントパネルの正面図である。
【図２】実施例１のタッチスイッチモジュールのパネルの正面図である。
【図３】実施例１のタッチスイッチモジュールを示すブロック図である。
【図４】実施例１のタッチスイッチモジュールに係り、パネルを操作した場合のフローチャートである。
【図５】実施例１のタッチスイッチモジュールに係り、パネルを操作した場合のフローチャートである。
【図６】実施例２のタッチスイッチモジュールのパネルの正面図である。
【発明を実施するための形態】
【００２３】
本発明のタッチスイッチモジュールを具体化した実施例１、２を図面を参照しつつ説明する。
【００２４】
（実施例１）
図１及び図３に示すように、実施例１の電気機器は車両の空調装置９であり、タッチスイッチモジュール１はその空調装置９を制御する。図１に示すように、タッチスイッチモジュール１は、車室内で左右に延在しているインスツルメントパネル３の中央部の下方に搭載されている。なお、インスツルメントパネル３は、タッチスイッチモジュール１の他、カーナビゲーション５と、センターレジスタ７とを有している。
【００２５】
タッチスイッチモジュール１は、図３に示すように、パネル２を備えている。パネル２には、図２に示すように、表示部２ａが設けられているとともに、複数のタッチパッド２ｂ及び左右のスライドバー２ｃ、２ｄが表示されている。
【００２６】
表示部２ａは、パネル２の上方に位置し、車幅方向に延びている。表示部２ａには、空調装置９の設定状態や現在の状態を表す種々の項目が表示されている。
【００２７】
タッチパッド２ｂは、パネル２の下方に２段に表示されている。タッチパッド２ｂには、空調装置９を指で押圧して操作する種々の項目が設けられている。タッチパッド２ｂの各項目は、表示部２ａに表示されている種々の項目に対応している。
【００２８】
スライドバー２ｃ、２ｄは、図２及び図３に示すように、車両の運転者の他、助手席の搭乗者も使用者として指により操作できるように、タッチパッド２ｂの左右に位置している。スライドバー２ｃ、２ｄにより、空調装置９が車室内に吹き出す風の温度を上下させることが可能である。
【００２９】
スライドバー２ｃ、２ｄは、上端に位置するステップアップ部１１ａ、１２ａと、下端に位置するステップダウン部１１ｂ、１２ｂと、不感応部１１ｃ、１２ｃと、スライド感応部１１ｄ、１２ｄとからなる。不感応部１１ｃ、１２ｃは、ステップアップ部１１ａ、１２ａの下端から下方に所定長で延びている。スライド感応部１１ｄ、１２ｄは、不感応部１１ｃ、１２ｃの下端からステップダウン部１１ｂ、１２ｂまで下方に延びている。
【００３０】
タッチスイッチモジュール１は、図３に示すように、上記パネル２の他、タッチセンサ１３と制御手段としてのＥＣＵ１５とを備えている。
【００３１】
タッチセンサ１３は、パネル２のタッチパッド２ｂ及びスライドバー２ｃ、２ｄの裏面に設けられている。タッチセンサ１３はパネル２への接触を検知する。タッチセンサ１３としては、静電容量方式が採用されている。本実施例において、接触は、スライド及びタップの他、長押し等を含む。本実施例において、タップは短接触に相当する。長押しとは、短接触と判断される短時間よりも長くタッチパッド２ｂ及びスライドバー２ｃ、２ｄに指等が接触し続けることを意味する。
【００３２】
ＥＣＵ１５はタッチセンサ１３と接続されている。ＥＣＵ１５には、図４に示すフローチャートを実行するためのプログラム等が格納されている。そして、ＥＣＵ１５は、図３に示すように、信号処理部１６と、アップ信号出力部１７と、ダウン信号出力部１８と、出力禁止部２０と、スライド信号出力部２２とを有している。信号処理部１６は、タッチセンサ１３と接続され、タッチセンサ１３で行われた接触を判断し、各々の出力部に振り分ける。ステップアップ部１１ａ、１２ａに対してタップが行われれば、アップ信号出力部１７がタップ毎にアップ信号を出力する。ステップダウン部１１ｂ、１２ｂに対してタップが行われれば、ダウン信号出力部１８がタップ毎にダウン信号を出力する。不感応部１１ｃ、１２ｃに対して接触が行われれば、出力禁止部２０が操作信号の出力を禁止する。スライド感応部１１ｄ、１２ｄに対してスライドが行われれば、スライド信号出力部２２がスライド毎にスライド信号を出力する。
【００３３】
車室内の使用者は、車室内の温度に応じ、表示部２ａに表示されている種々の項目を見ながら、パネル２を操作し、空調装置９を操作する。使用者がパネル２を操作した場合、ＥＣＵ１５が図４に示すフローチャートをスタートする。
【００３４】
使用者がスライドバー２ｃ、２ｄを操作した場合、ステップＳ１において、タッチセンサ１３がスライドバー２ｃ、２ｄへの接触を検知する。
【００３５】
続くステップＳ２において、使用者が不感応部１１ｃ、１２ｃに接触したか否かが判断される。ここで、使用者が不感応部１１ｃ、１２ｃに接触していた場合、タッチセンサ１３がこの接触を検知するが、出力禁止部２０が操作信号の出力を禁止する。例えば、ステップアップ部１１ａ、１２ａから不感応部１１ｃ、１２ｃまでを上方から下方に向けてスライドした場合、出力禁止部２０が不感応部１１ｃ、１２ｃからの操作信号の出力を禁止する。このため、ステップＳ２において、ＮＯとなり、スタートに戻る。
【００３６】
使用者が不感応部１１ｃ、１２ｃに接触していない場合は、ステップＳ２において、ＹＥＳとなり、ステップＳ３に進む。
【００３７】
ステップＳ３において、スライド感応部１１ｄ、１２ｄに対してスライドが行われれば、ＹＥＳとなり、ステップＳ４に進む。ステップＳ４では、スライド毎にスライド信号出力部２２がスライド信号を出力する。具体的には、使用者がスライド感応部１１ｄ、１２ｄに対して下方から上方に向かってスライドした場合、スライド毎にアップスライド信号を出力する。また、使用者がスライド感応部１１ｄ、１２ｄに対して上方から下方に向かってスライドした場合は、スライド毎にダウンスライド信号を出力する。アップスライド信号及びダウンスライド信号がスライド信号に相当する。
【００３８】
続くステップＳ５において、アップスライド信号が出力されると、空調装置９から吹き出される風の温度は第１物理量ずつ上昇することとなる。スライド毎にダウンスライド信号が出力されると、空調装置９から吹き出される風の温度は第１物理量ずつ下降することとなる。そして、ステップＳ５の処理が終了すれば、スタートに戻る。空調装置９から吹き出される風の温度変化を実現する空調装置９の条件が稼働条件に相当する。第１物理量は、スライド感応部１１ｄ、１２ｄに対してスライドした場合において、空調装置９の稼働条件を変化させる１段階に相当する。
【００３９】
スライド感応部１１ｄ、１２ｄに対してスライドが行われていなければ、ステップＳ３において、ＮＯとなり、ステップＳ６に進む。ステップＳ６において、ステップアップ部１１ａ、１２ａに接触した場合、ＹＥＳとなり、ステップＳ７に進む。
【００４０】
ステップアップ部１１ａ、１２ａに対して行った接触がタップであれば、ステップＳ７において、ＹＥＳとなり、ステップＳ８に進む。ステップＳ８において、アップ信号出力部１７がタップ毎にアップ信号を出力する。そして、ステップＳ５に進む。
【００４１】
ステップＳ５において、アップ信号が出力されると、空調装置９から吹き出される風の温度は第２物理量ずつ上昇することとなる。そして、ステップＳ５の処理が終了すれば、スタートに戻る。第２物理量は第１物理量に比べて小さい。
【００４２】
ステップアップ部１１ａ、１２ａに対してタップが行われていない場合は、ステップＳ７において、ＮＯとなり、ステップＳ９に進む。接触が長押である場合、ステップＳ９において、ＹＥＳとなり、ステップＳ１０に進む。
【００４３】
長押しされている間、ステップＳ１０において、アップ信号出力部１７が短時間のうちに自動的にかつ連続してアップ信号を出力し続ける。短時間のうちに自動的にかつ連続してアップ信号が出力されると、続くステップＳ５において、空調装置９から吹き出される風の温度は第２物理量きざみで自動的に連続して上昇することとなる。そして、ステップＳ５の処理が終了すればスタートに戻る。
【００４４】
長押しでない場合、ステップＳ９において、ＮＯとなり、操作エラーとして認識され、スタートに戻る。
【００４５】
ステップアップ部１１ａ、１２ａに接触していない場合は、ステップＳ６において、ＮＯとなり、図５に示すステップＳ１１に進む。
【００４６】
ステップダウン部１１ｂ、１２ｂに対してタップが行われれば、ステップＳ１１において、ＹＥＳとなり、ステップＳ１２に進む。ステップＳ１２において、ダウン信号出力部１８がタップ毎にダウン信号を出力する。
【００４７】
ダウン信号が出力されると、続くステップＳ１３において、空調装置９から吹き出される風の温度は第２物理量ずつ下降することとなる。そして、ステップＳ１３の処理が終了すれば、スタートに戻る。
【００４８】
ステップダウン部１１ｂ、１２ｂに対してタップでなければ、ステップＳ１１において、ＮＯとなり、ステップＳ１４に進む。ステップダウン部１１ｂ、１２ｂに対して長押しであれば、ステップＳ１４において、ＹＥＳとなり、ステップＳ１５に進む。
【００４９】
ステップダウン部１１ｂ、１２ｂに対して長押しされている間、ステップＳ１５において、ダウン信号出力部１８が短時間のうちに自動的にかつ連続してダウン信号を出力し続ける。短時間のうちに自動的にかつ連続してダウン信号が出力されれば、続くステップＳ１３において、空調装置９から吹き出される風の温度を第２物理量きざみで自動的に連続して降下させる。そして、ステップＳ１３の処理が終了すれば、スタートに戻る。
【００５０】
ステップダウン部１１ｂ、１２ｂに対して長押しでない場合、ステップＳ１５において、ＮＯとなり、操作エラーとして認識され、スタートに戻る。
【００５１】
このタッチスイッチモジュール１では、使用者がステップアップ部１１ａ、１２ａに対してタップを行った場合、その際に不感応部１１ｃ、１２ｃへの接触があったとしても、上記フローチャートに基づいて、出力禁止部２０が操作信号の出力を禁止するため、操作信号が空調装置９に出力されることはない。この場合、ステップアップ部１１ａ、１２ａに対してタップが行われたとだけ判断し、アップ信号出力部１７がアップ信号を空調装置９に出力する。こうして、空調装置９から吹き出される風の温度を第２物理量変化させることができる。
【００５２】
また、使用者がスライド感応部１１ｄ、１２ｄに対して上から下に向かってスライドを行った場合、その際に不感応部１１ｃ、１２ｃへの接触があったとしても、上記フローチャートに基づいて、出力禁止部２０が操作信号の出力を禁止するため、操作信号が空調装置９に出力されることもない。この場合、スライド感応部１１ｄ、１２ｄに対して上から下に向かってスライドが行われたとだけ判断し、スライド信号出力部２２がダウンスライド信号を空調装置９に出力する。こうして、空調装置９から吹き出される風の温度を第１物理量下げることができる。
【００５３】
使用者がスライド感応部１１ｄ、１２ｄに対して下から上に向かってスライドを行った場合、同様に、スライド感応部１１ｄ、１２ｄに対して下から上に向かってスライドが行われたとだけ判断し、スライド信号出力部２２がアップスライド信号を空調装置９に出力する。こうして、空調装置９から吹き出される風の温度を第１物理量上げることができる。
【００５４】
したがって、このタッチスイッチモジュール１では、空調装置９をより確実に操作可能である。
【００５５】
（実施例２）
実施例２のタッチスイッチモジュール１０では、図６に示すように、左右に延在する一対のスライドバー３１、３２がパネル２に表示されている。両スライドバー３１、３２は、表示部２ａと複数のタッチパッド２ｂとの間に位置している。
【００５６】
スライドバー３１、３２は、右端に位置するステップアップ部３１ａ、３２ａと、左端に位置するステップダウン部３１ｂ、３２ｂと、第１不感応部３１ｃ、３２ｃと、第２不感応部３１ｄ、３２ｄと、スライド感応部３１ｅ、３２ｅとからなる。
【００５７】
第１不感応部３１ｃ、３２ｃは、ステップアップ部３１ａ、３２ａよりも左方向に所定長で延びている。第２不感応部３１ｄ、３２ｄは、ステップダウン部３１ｂ、３２ｂよりも右方向に所定長で延びている。スライド感応部３１ｅ、３２ｅは、第１不感応部３１ｃ、３２ｃと第２不感応部３１ｄ、３２ｄとの間で左右に延びている。他の構成は実施例１と同様である。
【００５８】
このタッチスイッチモジュール１０では、使用者が右側から左側に向けてステップアップ部３１ａ、３２ａへの短接触を行った場合、例えその際に第１不感応部３１ｃ、３２ｃへの接触があったとしても、第１不感応部３１ｃ、３２ｃへの接触によって操作信号が空調装置９に出力されることはなく、ステップアップ部３１ａ、３２ａへの短接触による操作信号が空調装置９に出力されるだけである。
【００５９】
また、このタッチスイッチモジュール１０では、使用者が左側から右側に向けてステップダウン部３１ｂ、３２ｂへの短接触を行った場合でも、例えその際に第２不感応部３１ｄ、３２ｄへの接触があったとしても、第２不感応部３１ｄ、３２ｄへの接触によって操作信号が空調装置９に出力されることもなく、ステップダウン部３１ｂ、３２ｂへの短接触による操作信号が空調装置９に出力されるだけである。他の作用効果は実施例１と同様である。
【００６０】
以上において、本発明を実施例１、２に即して説明したが、本発明は上記実施例１、２に制限されるものではなく、その趣旨を逸脱しない範囲で適宜変更して適用できることはいうまでもない。
【００６１】
また、実施例１のタッチスイッチモジュール１の変形例として、ステップダウン部１１ｂ、１２ｂから上方に延びる不感応部を有していてもよい。
【００６２】
さらに、実施例２のタッチスイッチモジュール１０の変形例として、ステップアップ部３１ａ、３２ａが左端に位置していてもよく、ステップダウン部３１ｂ、３２ｂが右端に位置していてもよい。
【産業上の利用可能性】
【００６３】
本発明は、車両の空調装置、オーディオ機器、ナビゲーションシステム、照明機器、携帯電話等に利用可能である。
【００６４】
１、１０…タッチスイッチモジュール
２…パネル
２ｃ、２ｄ、３１、３２…スライドバー
９…電気機器、空調装置
１１ａ、１２ａ、３１ａ、３２ａ…ステップアップ部
１１ｂ、１２ｂ、３１ｂ、３２ｂ…ステップダウン部
１１ｃ、１２ｃ…不感応部
１１ｄ、１２ｄ、３１ｅ、３２ｅ…スライド感応部
１３…タッチセンサ
１５…ＥＣＵ（制御手段）
１７…アップ信号出力部
１８…ダウン信号出力部
２０…出力禁止部
２２…スライド信号出力部
３１ｃ、３２ｃ…第１不感応部
３１ｄ、３２ｄ…第２不感応部
【図１】
0005843832.tif 000002
【図２】
0005843832.tif 000003
【図３】
0005843832.tif 000004
【図４】
0005843832.tif 000005
【図５】
0005843832.tif 000006
【図６】
0005843832.tif 000007